(57)【要約】【課題】簡易な選択操作により玄米から精米まで幅広い取出を可能とする全自動式の籾摺精米設備を提供する。【解決手段】籾摺精米設備は、受けた穀粒を送出する投入ホッパ２と、この投入ホッパ２から受けた穀粒を精米処理用に脱ぷ処理する籾摺部４と、この籾摺部４から受けた穀粒を搗精処理する精米部７と、この精米部７から穀粒を受けて取出し可能に収容する取出タンク８ａからなる取出部８と、これら機器の作動による精米運転を指示するための操作部１２ａとを備えて構成され、上記籾摺部４を玄米レベルの脱ぷ処理に切替可能に構成し、この籾摺部４の穀粒の取出しのために上記取出部８を切替え可能に構成し、これら籾摺部４および取出部８の切替えによる玄米運転を選択可能に上記操作部１２ａを構成することにより、玄米から精米まで任意に選択することができる。【選択図】図４
2013240753.tif 000002
【特許請求の範囲】
【請求項１】
投入ホッパ（２）と、この投入ホッパ（２）から受けた穀粒を精米処理用に脱ぷ処理する籾摺部（４）と、この籾摺部（４）から受けた穀粒を搗精処理する精米部（７）と、この精米部（７）から穀粒を受けて取出し可能に収容する取出タンク（８ａ）からなる取出部（８）と、これら機器の作動による精米運転を指示するための操作部（１２ａ）とを備える籾摺精米設備において、
操作部（１２ａ）には、玄米を設定した精白度で精米部（７）で精米して取出部（８）へ排出する工程を行う精白度選択スイッチ（１３ｂ）と、籾摺部（４）で籾摺した玄米を取出部（８）へ排出する作業を行う玄米選択スイッチ（１３ｃ）を設けたことを特徴とする籾摺精米設備。
【請求項２】
前記精米部（７）を開度調節可能な圧迫板式の搗精機構（７ａ）によって構成し、玄米選択スイッチ（１３ｃ）を選択すると、搗精機構（７ａ）を非精米状態になる位置に設定し、籾摺部（４）で籾摺した玄米を精米部（７）を通過させて取出部（８）へ排出することを特徴とする請求項１記載の籾摺精米設備。
【請求項３】
前記精米部（７）に糠吸引ファン（７ｂ）を設け、玄米選択スイッチ（１３ｃ）を選択すると、糠吸引ファン（７ｂ）を停止することを特徴とする請求項２に記載の籾摺精米設備。
【請求項４】
前記籾摺部（４）から前記精米部（７）までの間に切替制御可能に介設した切替機構（６ａ）と、この切替機構（６ａ）から前記取出部（８）に連通する案内路（６ｂ）とを設け、切替機構（６ａ）は精白度選択スイッチ（１３ｂ）又は玄米選択スイッチ（１３ｃ）の操作によって切り換わることを特徴とする請求項１に記載の籾摺精米設備。
【請求項５】
前記籾摺部（４）には、脱ぷ穀粒を循環して再脱ぷ可能に切替える循環用切替機構（４ｄ）を設けたことを特徴とする請求項１から請求項４のいずれかに記載の籾摺精米設備。
【請求項６】
投入ホッパ（２）の籾米を所定量ずつ脱ぷすべく、循環用切替機構（４ｄ）を再脱ぷ側と精米処理側に交互に切り換えることを特徴とする請求項５に記載の籾摺精米設備。
【発明の詳細な説明】
【技術分野】
【０００１】
本発明は、籾摺機と精米機とを備えて投入穀粒を精米する籾摺精米設備に関する。
【背景技術】
【０００２】
特許文献１に示す籾摺精米設備は、精米開始指示用の操作パネルと、籾摺機と、精米機および関係機器とを備え、籾米や玄米を投入すると全自動で精米出力することができる。詳細には、籾米については、籾摺機により脱ぷ率が玄米の前段階の脱ぷ玄米として排出され、精米機で脱ぷ玄米及び籾摺機で脱ぷしきれなかった少量の籾の脱ぷを兼ねる搗精処理を行う。このように籾摺機と搗精調節可能な精米機との一体処理により、設備コストを抑えた上で、玄米のみならず籾米まで、幅広い穀粒に対応することができ、かつ、搗精調節可能な精米機によって幅広いぶ搗き幅の精米に対応することができる。
【先行技術文献】
【特許文献】
【０００３】
【特許文献１】特開２０１１−２４０２８３号公報
【発明の概要】
【発明が解決しようとする課題】
【０００４】
しかしながら、上記籾摺精米設備は、脱ぷ率が低レベルの籾摺機と搗精調節可能な精米機との一体処理によって精白処理を行うことから、玄米の取出しができないという課題があった。
【０００５】
本発明の目的は、簡易な選択操作により玄米から精米まで幅広い取出を可能とする籾摺精米設備を提供することにある。
【課題を解決するための手段】
【０００６】
請求項１に係る発明は、投入ホッパ（２）と、この投入ホッパ（２）から受けた穀粒を精米処理用に脱ぷ処理する籾摺部（４）と、この籾摺部（４）から受けた穀粒を搗精処理する精米部（７）と、この精米部（７）から穀粒を受けて取出し可能に収容する取出タンク（８ａ）からなる取出部（８）と、これら機器の作動による精米運転を指示するための操作部（１２ａ）とを備える籾摺精米設備において、操作部（１２ａ）には、玄米を設定した精白度で精米部（７）で精米して取出部（８）へ排出する工程を行う精白度選択スイッチ（１３ｂ）と、籾摺部（４）で籾摺した玄米を取出部（８）へ排出する作業を行う玄米選択スイッチ（１３ｃ）を設けたことを特徴とする。
【０００７】
請求項２に係る発明は、請求項１に係る発明において、前記精米部（７）を開度調節可能な圧迫板式の搗精機構（７ａ）によって構成し、玄米選択スイッチ（１３ｃ）を選択すると、搗精機構（７ａ）を非精米状態になる位置に設定し、籾摺部（４）で籾摺した玄米を精米部（７）を通過させて取出部（８）へ排出することを特徴とする。
【０００８】
請求項３に係る発明は、請求項２に係る発明において、前記精米部（７）に糠吸引ファン（７ｂ）を設け、玄米選択スイッチ（１３ｃ）を選択すると、糠吸引ファン（７ｂ）を停止することを特徴とすることを特徴とする。
【０００９】
請求項４に係る発明は、請求項１に係る発明において、籾摺部（４）から前記精米部（７）までの間に切替制御可能に介設した切替機構（６ａ）と、この切替機構（６ａ）から前記取出部（８）に連通する案内路（６ｂ）とを設け、切替機構（６ａ）は精白度選択スイッチ（１３ｂ）又は玄米選択スイッチ（１３ｃ）の操作によって切り換わることを特徴とする。
【００１０】
請求項５に係る発明は、請求項１から請求項４のいずれかに係る発明において、前記籾摺部（４）には、脱ぷ穀粒を循環して再脱ぷ可能に切替える循環用切替機構（４ｄ）を設けたことを特徴とする。
【００１１】
請求項６に係る発明は、請求項５に係る発明において、投入ホッパ（２）の籾米を所定量ずつ脱ぷすべく、循環用切替機構（４ｄ）を再脱ぷ側と精米処理側に交互に切り換えることを特徴とする。
【発明の効果】
【００１２】
請求項１に係る発明により、操作部（１２ａ）における選択指示が精米運転の場合は、籾摺部（４）と精米部（７）による精米用の籾摺処理および精米処理を経て取出部（８）により精米の取出しが可能となり、また、選択指示が玄米運転の場合は、籾摺部（４）から玄米が取出部（８）への取出しが可能となることから、操作部（１２ａ）の選択に応じて玄米から精米に及ぶ幅広い利用が可能となる。
【００１３】
請求項２に係る発明により、請求項１に係る発明の効果に加え、取出部（８）の切替制御により、搗精機構（７ａ）を非精米処理に設定するため、精米部（７）を案内路として穀粒が取出タンク（８ａ）に案内可能となることから、玄米運転の場合に、精米部（７）をそのまま利用して玄米取出が可能となるので、特段の構成付加を要することなく、切替え制御可能な取出部（８）を構成することができる。
【００１４】
請求項３に係る発明により、請求項１又は請求項２に係る発明の効果に加え、精米運転時は、糠吸引ファン（７ｂ）によって効率よく糠を吸引でき、また、玄米運転時は、切替え制御による糠吸引ファン（７ｂ）の停止によって不要な動力消費を抑えつつ穀粒が取出タンク（８ａ）に円滑に案内されることから、取出部（８）の円滑な収容動作が可能となる。
【００１５】
請求項４に係る発明により、請求項１に係る発明の効果に加え、玄米選択時に切替機構（６ａ）から案内路（６ｂ）に切替えられて籾摺部（４）の玄米を取出すことができる。
【００１６】
請求項５に係る発明により、請求項１から請求項４のいずれかに係る発明の効果に加え、循環用切替機構（４ｄ）の切替により籾摺部（４）で穀粒を循環して再脱ぷを行うことで、脱ぷ率が向上し、玄米の割合が向上する。
【００１７】
請求項６に係る発明により、請求項５に係る発明の効果に加え、所定量ずつの籾を複数回ずつ脱ぷするため、脱ぷ率が向上し、玄米の割合が向上する。
【図面の簡単な説明】
【００１８】
【図１】籾摺精米設備の処理工程線図
【図２】籾摺精米設備の全体平面図
【図３】機械室の要部正面図
【図４】仕切壁の客室側の見取図
【図５】機械室の要部拡大側面図
【図６】別構成の取出部の処理工程線図
【発明を実施するための形態】
【００１９】
上記技術思想に基づいて具体的に構成された実施の形態について以下に図面を参照しつつ説明する。
本発明に係る籾摺精米設備１は、その処理工程線図を図１に示すように、投入規制用のシャッター２ｇを備えて投入穀物を定量繰出しする投入ホッパ２、繰出された穀物を受けて高位投出する石抜昇降機と別称される第一昇降機３、投出された籾米を脱ぷする籾摺部４を構成する遠心型の籾摺機４ａおよび唐箕４ｂ、この籾摺部４から受けた玄米中の異物を選別する石抜機５、異物選別された玄米を高位投出する精米昇降機と別称される第二昇降機６、その投出玄米を受けて搗精精白する搗精機構７ａと糠吸引ファン７ｂとによる精米部７、搗精された白米を取出可能に収容する取出タンク８ａによる取出部８等を備え、籾米脱ぷと玄米搗精を連続して自動処理可能に構成する。
【００２０】
第一昇降機３の投出口３ｆには、籾摺機４ａに連通する第一切替弁３ａを介設し、再風選のために唐箕４ｂに切替え可能に分岐し、同じく、第一昇降機３の投出口３ｆに第二切替弁３ｂを設けて投入穀物を投入ホッパ２の上方に開口する返却口３ｃに返却可能に構成する。
【００２１】
籾摺部４には、その出口である唐箕４ｂの一番出口から石抜機５に連通する切替弁による循環用切替機構４ｄを設けて第一昇降機３の受部３ｅに切替え可能に分岐することにより、籾摺部４を循環可能に構成し、また、ゴミを取出す唐箕４ｂの二番出口からゴミ受５ａに連通する切替弁４ｃを設けて第一昇降機３の受部３ｅに切替え可能に分岐する。
【００２２】
籾摺精米設備１の具体的な機器配置構成は、全体平面図と機械室の要部正面図を図２、図３に示すように、建家１１を仕切壁１１ａにより二分し、利用者が操作するための客室Ａと籾摺および精米用の機器を収容する機械室Ｂとを前後に形成する。建家１１は、左右の側壁１１ｂ，１１ｂの一方を投入側Ｃ、他方を取出側Ｄとして、両側壁１１ｂ，１１ｂに機械室Ｂのメンテナンス口１１ｃ，１１ｅを形成し、仕切壁１１ａには、その略中央位置に中央扉１２を設ける。中央扉１２にはその客室側に後述の操作パネル１２ａを設ける。
【００２３】
客室Ａの左右一側には投入ホッパ２の投入口を設け、投入ホッパ２の投入口の前側には袋置台２ａを設けている。また、左右他側には取出タンク８ａの排出口を設けている。
機械室Ｂには、投入側Ｃの側壁１１ｂに隣接する位置に沿って、かつ投入ホッパ２の後方に前側から第一昇降機３、籾摺機４ａとの順に配置する。この籾摺機４ａは、投入側Ｃの側壁１１ｂに形成するメンテナンス口１１ｃに面する位置に配置する。メンテナンス口１１ｃは開閉扉１１ｆで開閉される構成で、管理者が機械室Ｂ内に点検に出入りするためのものである。なお、取出側の側壁１１ｂにもメンテナンス口１１ｅを形成し、第二開閉扉１１ｇで開閉される構成である。
【００２４】
機械室Ｂの中央部には、中央扉１２の近傍に第二昇降機６を配置するとともに、その後方で同中央扉１２に臨む位置に石抜機５を配置する。機械室Ｂの取出側Ｄには取出タンク８ａの後方に精米部７を側壁１１ｂの隣接位置に配置し、精米部７の後方にサイクロン１５ｂ及び移送螺旋１５ａからなる遠心分離部１５と糠袋Ｅ，Ｅを配置する。
【００２５】
客室Ａの仕切壁１１ａには、客室側見取図を図４に示すように、穀物投入用のシャッタ付きの投入ホッパ２を投入側Ｃに、白米取出用の取出タンク８ａを取出側Ｄに配置し、中央扉１２に設けた操作部である操作パネル１２ａに料金投入口１３ａ、選択スイッチによる精白度選択部１３ｂおよび選択スイッチによる玄米選択部１３ｃを設け、不図示の制御部を内蔵する。この制御部により、利用者が持参した穀物について、籾米を玄米に処理する場合であれば玄米選択部１３ｃを選択し、籾米を籾摺精米処理する場合には精白度選択部１３ｂで精白度を選択する。また、持参した穀物が玄米であれば、精白度選択部１３ｂで精白度を選択し、投入料金の範囲で、籾摺、籾摺精米、精米のいずれかの運転制御を全自動で行う。
【００２６】
（運転制御）
運転制御について説明すると、操作パネル１２ａにおいて、料金の投入によって操作案内が開始され、この案内に沿って精白度または玄米の選択による処理仕様を指定し、持参穀物を投入ホッパ２に投入することにより投入穀物について籾摺り、精米等が行われた後、取出タンク８ａに収容された処理米を取出すことができる。
【００２７】
すなわち、玄米選択部１３ｃまたは精白度選択部１３ｂの操作により、料金の投入および籾又は玄米の投入を条件に、機械室Ｂの装置各部が運転を開始する。そして、図１に示す作業工程順序に基づき、籾摺精米、精米、籾摺の各運転パターンの制御を行う。
【００２８】
籾摺精米運転は、第一昇降機３、籾摺部４を経て、石抜機５、第二昇降機６を経由して精米部７で精米処理を行ない、精白米を取出タンク８ａへ排出することにより、籾米の投入によって精白米の取出しを可能とする。
精米運転は、第一昇降機３から第一切替弁３ａの切替え制御によって籾摺機４を迂回して石抜機５に供給し、第二昇降機６を経由して精米部７で精米処理を行ない、精白米を取出タンク８ａへ排出することにより、玄米の投入によって精白米の取出しを可能とする。
【００２９】
籾摺運転は、第一昇降機３と籾摺部４とによる籾摺部４の循環籾摺とその排出切替えとによる籾摺制御によって玄米処理を行い、次いで石抜機５、第二昇降機６を経由させ、取出タンク８ａからの玄米取出しのために精米部７を案内路として玄米を取出タンク８ａに排出することにより、籾米の投入によって玄米の取出しを可能とする。
【００３０】
このとき、精米機７は、搗精機構７ａの搗精圧迫板を非精米処理位置、すなわち全開位置とするとともに糠吸引ファン７ｂを停止する。そのため、玄米は精米機７を案内路として取出タンク８ａに穀粒を円滑に排出できることから、籾摺制御によって石抜機５、第二昇降機６を経由した玄米が取出タンク８ａに排出されてその取出しが可能となる。すなわち、精米運転を行うときには糠吸引ファン７ｂで糠を吸引除去するが、籾摺運転時には、糠を吸引する必要が無く、むしろ吸引風が玄米の通過を阻害するために糠吸引ファン７ｂを停止させるものである。
あるいは、糠吸引ファン７ｂを正逆転させることを可能にし、籾摺運転時には糠吸引ファンを送風側にして玄米の排出を良好にするように構成しても良い。
【００３１】
（持ち帰り）
料金分の運転時間が経過して運転が停止した際に投入ホッパ２に穀物が残留した場合には、戻しスイッチ２ｂを押すと第一昇降機３が駆動すると共に、第一切替弁３ａが石抜機５側へ、第二切替弁３ｂが返却口３ｃ側に切り換えられ、投入ホッパ２の残留穀物は返却口３ｃから利用者が袋等で受けて持ち帰ることができる。
【００３２】
（取出部の別構成例）
次に、取出部の別の構成例について説明すると、その処理工程線図を図６に示すように、第二昇降機６の投出口６ｆに玄米ホッパ７ｃに連通する切替機構である切替弁６ａを介設して取出タンク８ａに切替え可能に精米機７をバイパスする案内路６ｂを分岐する。この案内路６ｂは、玄米選択部１３ｃの指示によって切替弁による切替機構６ａを取出タンク８ａの側に切替え制御することにより、第二昇降機６の投出口６ｆから取出タンク８ａに玄米が排出されてその取出しが可能となる。
【００３３】
前述の籾摺運転では籾摺機は１回通しである制御を行うが、次に、籾摺を複数回循環する場合の制御について説明する。
詳細には、機械室Ｂの要部拡大側面図を図５に示すように、籾摺部４は、唐箕４ｂの一番出口の切替弁４ｄの切替え制御により切替弁４ｄを第一昇降機３に切替えて受部３ｅにシュートすることにより再度籾摺機４ａへ供給して再脱ぷを行った後に、後工程へ移送することで、脱ぷ率が向上するものである。
【００３４】
具体的には、投入ホッパ２の穀物を繰り出す搬送ラセン２ｃを運転開始後から所定時間駆動して一旦停止する。このとき、循環用切替機構４ｄは籾摺部４へ再脱ぷする側へ切替えられており、籾摺部４を通過した脱ぷ米が第一昇降機３へ供給され、再度籾摺部４で籾摺処理がなされる。そして、搬送ラセン２ｃが停止してから所定時間後に循環用切替機構４ｄが後工程側に切り換わり、籾摺部４を２回通過した脱ぷ玄米は後工程側に移送される。循環用切替機構４ｄが後工程側に切り換わってから所定時間後に、搬送ラセン２ｃの駆動を再開し、また、循環用切替機構４ｄを籾摺部４へ再脱ぷする側へ切替られ、所定量の籾を供給して籾摺部を２回通過させる。
【００３５】
２回籾摺処理がなされた玄米は前述の実施例の精米部７へ供給されて、精米部７を通過して取り出しタンク８ａに排出されるか、切替機構６ａを取出タンク８ａの側に切替え制御することにより、第二昇降機６の投出口６ｆから取出タンク８ａに玄米が排出される。
以後、投入ホッパ２内の籾が無くなるまで所定量毎（例えば５ｋｇずつ）断続的に供給する。すなわち、循環用切替機構４ｄが籾摺処理側と後工程側とに設定時間毎に交互に切り換わる制御を行う。
【００３６】
この籾摺部４を複数回循環させて籾摺する制御は、玄米選択スイッチ１３ｃを選択して籾を玄米にして取り出す場合に使用することで、脱ぷ率が高い良好な玄米を取り出すことができる。一方、籾摺精米処理時は、１回の籾摺りで脱ぷ出来なかった一部の籾も精米部７で精米できるため、籾摺部４を１回通すだけで良いので迅速な籾摺精米を行うことができる。
【００３７】
なお、唐箕４ｂの二番出口の切替弁４ｃは、第一昇降機３に切替えて受部３ｅにシュートし、投入ホッパ２が空になってから所定時間を経過した時点または、例えば２４ｋｇ等の所定量の籾米の処理ごとに切替えから復帰することにより、籾摺循環中は唐箕４ｂの二番出口からのゴミが籾摺循環されるので排出量を減らすことができ、最終的にゴミ受５ａへの排出によってゴミ詰まりを防止することで、精米性状を落とすことなく、残米をなくすことができるとともに、切替弁４ｃの切替え動作回数を少なくして耐久性を確保することができる。
【００３８】
（故障時の制御例）
上記構成の籾摺精米設備において、故障の発生時に利用者に対する音声案内を自動で開始し、所定回数を繰返した後に停止するように案内制御する。この案内後の停止中においては、白度選択スイッチの操作により、音声案内を自動で再開するように案内制御する。
このような案内制御により、案内の継続による騒音を防止でき、また、案内の停止後における利用者に対しても確実に案内することができる。
【符号の説明】
【００３９】
１      籾摺精米設備
２      投入ホッパ
３      第一昇降機
３ａ    第一切替弁
３ｂ    第二切替弁
３ｅ    受部
４      籾摺部
４ａ    籾摺機（籾摺部）
４ｂ    唐箕（籾摺部）
４ｃ    切替弁
４ｄ    切替弁（循環用切替機構）
５      石抜機
５ａ    ゴミ受
６      第二昇降機
６ａ    切替弁（切替機構）
６ｂ    案内路
６ｆ    投出口
７      精米機（精米部）
７ａ    搗精機構
７ｂ    糠吸引ファン
７ｃ    玄米ホッパ
８      取出部
８ａ    取出タンク
１２ａ  操作パネル（操作部）
１３ａ  料金投入口
１３ｂ  精白度選択スイッチ（操作部）
１３ｃ  玄米選択部（操作部）
【図１】
2013240753.tif 000003
【図２】
2013240753.tif 000004
【図３】
2013240753.tif 000005
【図４】
2013240753.tif 000006
【図５】
2013240753.tif 000007
【図６】
2013240753.tif 000008